(57)【要約】【課題】  簡単な構成で被施療者に効果的なマッサージを施すことができるマッサージユニットを提供する。【解決手段】マッサージユニット10は、被施療者の施療部位に当接する施療指21と、該施療指21が先端に取り付けられた揺動アーム20と、揺動アーム20の基端を偏心支持する偏心部材42と、該偏心部材42を回転させるモータ30と、を具える。【選択図】  図１
2007007110.tif 000002
【特許請求の範囲】
【請求項１】
被施療者の施療部位をマッサージする施療指を具えたマッサージユニットにおいて、
施療指を先端に取り付けた揺動アームと、
揺動アームの基端を直接偏心回転可能に支持する偏心部材と、
該偏心部材を回転させるモータと、を具えることを特徴とするマッサージユニット。
【請求項２】
揺動アームは、先端が分岐しており、分岐した各先端に施療指が配備されている請求項１に記載のマッサージユニット。
【請求項３】
揺動アームは、中立位置を保持し、振れを防止するスプリングによって付勢されている請求項１又は請求項２に記載のマッサージユニット。
【請求項４】
偏心部材又はマッサージ軸には、偏心部材の回転による重量バランスの偏りを防止するためのバランスウェイトが取り付けられている請求項１乃至請求項３の何れかに記載のマッサージユニット。
【発明の詳細な説明】
【技術分野】
【０００１】
本発明は、被施療者の首、肩、背中、腰、臀部、太もも、ふくらはぎ、足裏等のマッサージを行なうことのできるマッサージユニットに関するものである。
【背景技術】
【０００２】
椅子の座部前端に傾動可能なフットレストを設け、該フットレストの内部に施療指を具えた揺動レバーを揺動可能に配置したマッサージ機が提案されている(例えば、特許文献１参照)。
特許文献１のマッサージ機は、図５に示すように、一対の施療指(80)(80)を具えた揺動アーム(81)が揺動レバー(82)の先端に支持されている。揺動レバー(82)の基端はフットレストのフレーム(84)に支持されている。
揺動レバー(82)は、揺動機構(90)に連繋されている。揺動機構(90)は、フットレストフレーム(84)内部にモータ(91)を具え、該モータ(91)の回転力をベルト(92)を介してプーリ(93)に伝達している。プーリ(93)には、偏心体(94)がプーリ(93)の回転中心に対して偏心して取り付けられており、偏心体(94)に嵌められたクランク(95)と揺動レバー(82)の略中央がロッド(96)によって接続されている。
モータ(91)を駆動すると、プーリ(93)が回転し、偏心体(94)が偏心回転して、ロッド(96)が往復移動する。その結果、揺動レバー(82)はフットレストフレーム(84)への支点を中心に揺動し、揺動レバー(82)の先端の揺動アーム(81)も揺動する。これによって、施療指(80)(80)が振動して叩きマッサージが施される。
【０００３】
【特許文献１】特開２００１−２９９８５０号公報
【発明の開示】
【発明が解決しようとする課題】
【０００４】
しかしながら、特許文献１に記載されたマッサージ機は、非常に複雑な構成であり、組立性が悪く、製造コストも上昇してしまう問題があった。
また、モータから偏心体、クランク、揺動レバーを介して揺動アームに動力が伝達されるため、機構を薄型化することができず、また、摩擦等の動力のロスが大きいため、出力の小さいモータでは対応することができなかった。
また、特許文献１のマッサージ機は、施療指の移動方向が斜めの往復運動(図５の矢印Ｂ)であるため、施療指から叩き感覚ではなく、擦るような感覚を強く受け、十分なマッサージ効果を発揮できないことがあった。
【０００５】
本発明の目的は、簡単な構成で被施療者に効果的なマッサージを施すことができるマッサージユニットを提供することである。
【課題を解決するための手段】
【０００６】
上記課題を解決するために本発明のマッサージユニットは、
被施療者の施療部位に当接する施療指と、
該施療指が先端に取り付けられた揺動アームと、
揺動アームの基端を偏心支持する偏心部材と、
該偏心部材を回転させるモータと、
を具える。
【発明の効果】
【０００７】
本発明のマッサージユニットによれば、揺動アームを偏心部材に直接支持したことにより、構成の簡略化を図ることができ、また、揺動アーム先端に取り付けられた施療指は、偏心部材を中心として円運動するから、被施療者の施療部位を叩くような感覚でマッサージすることができ、マッサージ効果を高めることができる。
【発明を実施するための最良の形態】
【０００８】
以下では、本発明のマッサージユニット(10)を被施療者の腰掛ける椅子の座部(50)先端に傾動可能且つ位置決め可能に配備されたフットレスト(12)に実施した例について説明するが、フットレスト(12)に限定されず、椅子の背凭れや座部に配置したり、ベッド型マッサージ機、足裏用のマッサージ機、ハンディ型のマッサージ機にも本発明は適用できる。
【０００９】
フットレスト(12)とは、被施療者が椅子に腰掛けた状態で、または背凭れを倒し寝姿勢で、ふくらはぎにマッサージを受けることができるユニットである。
フットレスト(12)は、フットレストフレーム(13)を基体として構成され、該フットレストフレーム(13)が座部(50)のフレーム(51)に傾動可能に連繋されている。フットレスト(12)の外周は、布カバー(17)やクッション等によって包囲されており、施療部位が直接マッサージユニット(10)やフットレストフレーム(13)、後述するフットレストプレート(14)等に当たらないように保護している。
フットレスト(12)は、シリンダ装置(52)等を利用した公知の傾動機構(53)に接続されており、被施療者の所望する角度に傾動し、位置決めすることができる。
【００１０】
フットレスト(12)は、図１乃至図４に示すように、座部フレーム(51)に支持されたフットレストフレーム(13)の下面にフットレストプレート(14)を具える。該フットレストプレート(14)には、後述するモータ(30)等が取り付けられる。フットレストプレート(14)の左右には、揺動アーム(20)(20)が貫通する開口(15)(15)が開設されている。
【００１１】
マッサージユニット(10)は、フットレストプレート(14)の裏面に固定されたモータ(30)と、該モータ(30)の回転軸(31)に嵌められたプーリ(32)、該プーリ(32)とベルト(33)を介して動力伝達可能なプーリ(34)を具える。プーリ(34)は、フットレストプレート(14)から突設された軸受(36)(36)に軸支されたマッサージ軸(40)に嵌まっている。マッサージ軸(40)の左右両端には、短円柱状の偏心部材(42)(42)が取り付けられている。偏心部材(42)(42)は、図４に示すように、中心とは異なる位置でマッサージ軸(40)が貫通するように偏心した状態でマッサージ軸(40)にネジ(43)(43)止めされている。偏心部材(42)(42)は、左右の施療指(21)(21)の動きを同調させず、交互にマッサージ力が伝わるように、互いの位相が１８０度ずれるように配置することが望ましい(図４参照)。
【００１２】
偏心部材(42)(42)には、揺動アーム(20)(20)が直接回動自在に嵌まっている。揺動アーム(20)(20)は、図２乃至図４に示すように、先端が前後に分岐した略Ｔ字状の部材を例示できる。揺動アーム(20)(20)の分岐した各先端には、被施療者の施療部位(ふくらはぎ)をマッサージする施療指(21)(21)が夫々取り付けられている。
揺動アーム(20)(20)は、偏心部材(42)(42)との回転摺動性を高めるために、ポリアセタール(ＰＯＭ：ジュラコン(登録商標))等の材料から形成することが望ましい。揺動アーム(20)(20)と偏心部材(42)(42)との回転摺動性を高めることにより、これらの間にベアリング等を挿入する必要がなく、部品点数の削減を図ることができる。
【００１３】
偏心部材(42)が回転したときに、重量バランスの偏りによって振動が生じる。この振動を防止するために、偏心部材(42)には、重量バランスの偏りを防止するためのバランスウェイト(44)が取り付けられている。図４に示すように、バランスウェイト(44)はネジ(44a)止めされている。
【００１４】
揺動アーム(20)(20)は、図２に示すように、基端側方に突片(22)が形成されており、該突片(22)と、フットレストプレート(14)の裏面から突設された突片(45)との間をスプリング(46)で付勢している。該スプリング(46)によって、揺動アーム(20)は、中立位置に保持することができる。また、スプリング(46)により、揺動アーム(20)が、偏心部材(42)と一体回転してしまうことを防止でき、さらに施療指(21)(21)が上下運動するときに、揺動アーム(20)の振れの増大を防止することができる。
【００１５】
施療指(21)(21)は、フットレストプレート(14)の表側に突出した揺動アーム(20)の先端に配備されている。上記のように略Ｔ字状の揺動アーム(20)の場合、分岐した先端の両方に施療指(21)(21)を配備することができる。施療指(21)は、施療部位に当たったときに被施療者に硬さを感じさせないために、ゴムやプラスチック等の樹脂で作製することが望ましい。
施療指(21)の形状は、図２乃至図４に示すような半円柱状のものや、半円球状のものを例示でき、これらの場合、曲面側が施療部位と当たるように配置される。施療指(21)を半円柱状とすることにより、施療部位の広い範囲に施療指(21)を当接させることができる。必要に応じて、施療指(21)の表面に小突起や凹みを形成してもよい。
【００１６】
上記構成のマッサージユニット(10)について、被施療者が施療部位であるふくらはぎをフットレスト(12)に載せた状態で、モータ(30)を駆動すると、プーリ(32)、ベルト(33)、プーリ(34)を介してマッサージ軸(40)が回転する。マッサージ軸(40)が回転すると、偏心部材(42)(42)が偏心回転する。揺動アーム(20)(20)は、偏心部材(42)(42)と一体回転しないようにスプリング(46)(46)で付勢されているので、揺動アーム(20)(20)は円運動する。その結果、揺動アーム(20)(20)の先端に配備された施療指(21)(21)も上下運動を伴う円運動(図２の矢印Ａ)を行ない、ふくらはぎに叩きマッサージのようなマッサージ力を加えることができる。モータ(30)の回転方向が反対になると、矢印Ａの方向も逆になる。
偏心部材(42)(42)の偏心方向が左右で１８０度ずれているので、左右の施療指の上下運動は交互に行なわれる。
【産業上の利用可能性】
【００１７】
本発明は、構成を簡素化しつつ、効果の高いマッサージを提供できるマッサージユニットとして有用である。
【図面の簡単な説明】
【００１８】
【図１】本発明のマッサージユニットを椅子型マッサージ機のフットレストに搭載した要部断面図である。
【図２】マッサージユニットの側面図である。
【図３】マッサージユニットの平面図であって、フットレストプレートの一部を省略して示している。
【図４】図２の線IV−IVに沿う矢視断面図である。
【図５】従来のマッサージユニットの構成を示す側面図である。
【符号の説明】
【００１９】
(10)  マッサージユニット
(12)  フットレスト
(20)  揺動アーム
(21)  施療指
(30)  モータ
(40)  マッサージ軸
(42)  偏心部材
(44)  バランスウェイト
(46)  スプリング
【図１】
2007007110.tif 000003
【図２】
2007007110.tif 000004
【図３】
2007007110.tif 000005
【図４】
2007007110.tif 000006
【図５】
2007007110.tif 000007